(57)【要約】【課題】  電源コードが邪魔にならずに好きな場所に自由に配置することが可能であり、電源コードが足にひっかかって転倒するおそれのないコードレス電気炬燵を提供する。【解決手段】  テーブル板と、前記テーブル板の裏面四隅に取り付けられた支持脚と、前記テーブル板の裏面中央に取り付けられかつ電源と接続して電気を入力するための入力端子を有する発熱体と、前記入力端子に着脱自在に接続される嵌合孔を含む出力端子を有しかつ充電可能とされたバッテリーパックと、からなるようにした。【選択図】  図１
0003119305.tif 000002
【実用新案登録請求の範囲】
【請求項１】
テーブル板と、
前記テーブル板の裏面四隅に取り付けられた支持脚と、
前記テーブル板の裏面中央に取り付けられかつ電源と接続して電気を入力するための入力端子を有する発熱体と、
前記入力端子に着脱自在に接続される嵌合孔を含む出力端子を有しかつ充電可能とされたバッテリーパックと、
からなることを特徴とするコードレス電気炬燵。
【請求項２】
前記バッテリーパックがコンセントプラグを有し、前記コンセントプラグは前記バッテリーパックが前記入力端子に接続される時には前記バッテリーパックの内方に折り畳まれて収納され、前記バッテリーパックの充電時には前記バッテリーパックの外方へ突出して駐止するように回動可能に設けられることを特徴とする請求項１記載のコードレス電気炬燵。
【考案の詳細な説明】
【技術分野】
【０００１】  本考案は、コードレスの電気炬燵に係り、特には、炬燵の発熱体と電源とを繋ぐコードをなくして発熱体をコードレスで発熱させることが可能なコードレス電気炬燵に関する。
【背景技術】
【０００２】  従来、家庭の暖房器具として、炬燵が広く知られている。炬燵には、床を掘って凹みを設けて足を曲げられるようにした掘り炬燵と呼ばれるタイプの炬燵と、床が平面のままで床の上に炬燵を置くタイプの置き炬燵がある。また、これら炬燵の発熱体の熱源としては、遠赤外線ヒータや豆炭などが使用される。【０００３】  豆炭を熱源として使用するタイプの炬燵だと、換気をよくしないと一酸化炭素中毒による事故などの懸念があるため、最近では遠赤外線ヒータを熱源としたタイプの炬燵の方が人気がある。【０００４】  このような遠赤外線ヒータを熱源とするタイプの電気炬燵は、電源が必要であり、電源から遠赤外線ヒータの発熱体に電力が供給される。一般的に、遠赤外線ヒータの発熱体に接続された電源コードを各部屋に設けられているコンセントに差し込むことによって、遠赤外線ヒータの発熱体に電力を供給する方式が採用されている。【０００５】  このように、電源コードの一端を遠赤外線ヒータの発熱体に接続し、他端をコンセントに差し込む方式では、電源コードが邪魔である。そこで、例えば、やぐら内の電源コードの垂れ下がりによる障害が排除され、かつ電源コードが着座の邪魔にならない電気ごたつとして、電気ごたつの電熱器と電源とを接続するコネクタがやぐらのコーナー部に配設され、このコネクタが前記コーナー部に取付けられた差込プラグと、電源コードに接続され前記の差込プラグに着脱自由に係合するレゼプタクルとからなり、この差込プラグが、やぐらの天部に沿って固定された固定配線を介して電熱器に接続されてなるものが提案されている（特許文献１）。【０００６】  しかしながら、特許文献１のように電源コードをやぐらのコーナー部に配置したとしても、電源コードが邪魔になって、好きな場所に自由に電気炬燵を配置することができない。また、電源コードを用いる電気炬燵では、電源コードが足などにひっかかって転倒のおそれがある。このように電源コードに足をひっかけてしまうという問題は、今後、高齢化社会となってお年寄りの人口が増加するにつれて、より一層顕著となることが予想される。
【特許文献１】特開平１１−３７４７６号公報
【考案の開示】
【考案が解決しようとする課題】
【０００７】  本考案は、上記問題点に鑑みて為されたものであり、電源コードが邪魔にならずに好きな場所に自由に配置することが可能であり、電源コードが足にひっかかって転倒するおそれのないコードレス電気炬燵を提供することを目的とする。
【課題を解決するための手段】
【０００８】  上記課題を解決するために、本考案のコードレス電気炬燵は、テーブル板と、前記テーブル板の裏面四隅に取り付けられた支持脚と、前記テーブル板の裏面中央に取り付けられかつ電源と接続して電気を入力するための入力端子を有する発熱体と、前記入力端子に着脱自在に接続される嵌合孔を含む出力端子を有しかつ充電可能とされたバッテリーパックと、からなることを特徴とする。【０００９】  このように構成することにより、バッテリーパックから発熱体へ電気が供給されるので、電源コードを用いる必要がなく、従来技術における電源コードの問題点が解消される。【００１０】  また、前記バッテリーパックがコンセントプラグを有し、前記コンセントプラグは前記バッテリーパックが前記入力端子に接続される時には前記バッテリーパックの内方に折り畳まれて収納され、前記バッテリーパックの充電時には前記バッテリーパックの外方へ突出して駐止するように回動可能に設けられるのが好ましい。【００１１】  上記のようなコンセントプラグを有するバッテリーパックを用いれば、バッテリーパックを発熱体に接続している間はコンセントプラグを内方に折り畳んで収納することができ、充電するときだけ該バッテリーパックの外方へ突出して駐止させて部屋のコンセントに差し込み、充電することが可能となる。したがって、電気炬燵を使用する際にコンセントプラグが突出したままで邪魔になる心配がない。
【考案の効果】
【００１２】  本考案によれば、電源コードが邪魔にならずに好きな場所に自由に配置することが可能であり、電源コードが足にひっかかって転倒するおそれのないコードレス電気炬燵を提供することができるという著大な効果を奏する。
【考案を実施するための最良の形態】
【００１３】  以下に本考案の実施の形態を添付図面に基づいて説明するが、本考案の技術思想から逸脱しない限りこれらの実施の形態について種々の変更又は変形が可能なことは言うまでもない。【００１４】  図１は、本考案のコードレス電気炬燵をテーブル板の裏面側からみた斜視図である。図２は、本考案のコードレス電気炬燵をテーブル板の表面側からみた斜視図である。図３は、本考案のコードレス電気炬燵に用いられるバッテリーパックの一例を示す斜視図である。図４は、本考案のコードレス電気炬燵に用いられる発熱体の一例を示す斜視図である。【００１５】  図１〜図４に示される如く、本考案のコードレス電気炬燵１０は、テーブル板１２と、前記テーブル板１２の裏面四隅に取り付けられた支持脚１４と、前記テーブル板の裏面中央に取り付けられかつ電源と接続して電気を入力するための入力端子１６を有する発熱体１８と、前記入力端子１６に着脱自在に接続される嵌合孔２０を含む出力端子２２を有しかつ充電可能とされたバッテリーパック２４と、から構成される。【００１６】  図示の例では、発熱体１８としては、遠赤外線ヒータを使用したが、電気により発熱するものであれば他の発熱手段が使用できることはいうまでもない。また、バッテリーパック２４についても充電が可能なものであればよく、そのバッテリーの種類に特別の限定はない。例えば、鉛酸バッテリー、ニッケル・カドミウム・バッテリー、ニッケル水素バッテリーやリチウムイオン・バッテリーといった種々のバッテリーが使用可能である。また、燃料電池や太陽電池などと組み合わせてバッテリーを構成してもよい。【００１７】  図１において、符号３０は操作盤を示し、操作盤３０には電源スイッチ３２と強弱調節スイッチ３４が設けられている。この電源スイッチ３２を入れたり切ったりすることで、発熱体１８への印加が制御される。また、強弱調節スイッチ３４により、発熱体１８の熱さを調節することができる。【００１８】  また、バッテリーパック２４は、図１に示した如く、前記入力端子１６に接続される時には前記バッテリーパック２４の内方に折り畳まれて収納され、充電時には、図２によく示されるごとく、前記バッテリーパック２４の外方へ突出して駐止するように回動可能に設けられたコンセントプラグ２６を有するように構成するのが好ましい。このようにしておけば、充電時には、コンセントプラグ２６を部屋のコンセント２８に差し込んで充電し、充電が完了次第、入力端子１６にバッテリーパック２４を接続することにより、コードレス電気炬燵１０を使用することが可能となる。【００１９】  本考案のコードレス電気炬燵１０によれば、電源コードが邪魔にならずに好きな場所に自由に配置することが可能であり、電源コードが足にひっかかって転倒するおそれがないため、利便性及び安全性共に極めて高いものとなる。
【図面の簡単な説明】
【００２０】
【図１】  本考案のコードレス電気炬燵をテーブル板の裏面側からみた斜視図である。
【図２】  本考案のコードレス電気炬燵をテーブル板の表面側からみた斜視図である。
【図３】  本考案のコードレス電気炬燵に用いられるバッテリーパックの一例を示す斜視図である。
【図４】  本考案のコードレス電気炬燵に用いられる発熱体の一例を示す斜視図である。
【符号の説明】
【００２１】  １０：本考案のコードレス電気炬燵、１２：テーブル板、１４：支持脚、１６：入力端子、１８：発熱体、２０：嵌合孔、２２：出力端子、２４：バッテリーパック、２６：コンセントプラグ、２８：コンセント、３０：操作盤、３２：電源スイッチ、３４：強弱調節スイッチ。
【図１】
0003119305.tif 000003
【図２】
0003119305.tif 000004
【図３】
0003119305.tif 000005
【図４】
0003119305.tif 000006